(57)【要約】【課題】開閉式の扉に設けられた発光表示部の発光不良が発生しにくい遊技媒体貸出機を提供する。【解決手段】本体に設けられ、ＬＥＤ３１、３２、３３が実装された基板２１と、ＬＥＤ３１、３２、３３が発光した光を貨幣収納扉の前面の発光表示部１１、１２、１３に導く扉側導光板２３とを備える。貨幣収納扉に設けられた発光表示部１１、１２、１３の発光不良が発生しにくい遊技媒体貸出機を提供することができる。【選択図】図８
2018015208.tif 000002
【特許請求の範囲】
【請求項１】
遊技媒体を貸し出す遊技媒体貸出機であって、
前記遊技媒体貸出機の本体と、
前記本体内部に設けられ貨幣識別装置が収納される貨幣識別装置収納部と、
前記本体前部に設けられ前記貨幣識別装置収納部を開閉する扉と、
前記本体に設けられた発光素子と、
前記扉の前面に設けられた発光表示部と、
前記発光素子が発光した光を入光して前記発光表示部に導いて発光させる扉側導光板と、
を備える遊技媒体貸出機。
【請求項２】
遊技媒体を貸し出す遊技媒体貸出機であって、
前記遊技媒体貸出機の本体と、
前記本体前部に設けられ前記本体の前面開口部を開閉する扉と、
前記本体に対して前記扉を回動自在に連結するヒンジ部と、
前記本体に設けられた発光素子と、
前記扉の前面に設けられた発光表示部と、
前記発光素子が発光した光を入光して前記発光表示部に導いて発光させる扉側導光板と、
を備える遊技媒体貸出機。
【請求項３】
前記本体に対する前記扉の施錠及び解錠を行う錠前を備え、
前記錠前の解錠により前記扉が開動作を開始する
請求項１又は２に記載の遊技媒体貸出機。
【請求項４】
前記錠前は、リモコン操作により前記本体に対する前記扉の解錠を行う
請求項３に記載の遊技媒体貸出機。
【請求項５】
本体に設けられ、前記発光素子が発光した光を前記扉側導光板に導く筐体内導光板を備える請求項１乃至４のいずれか１項に記載の遊技媒体貸出機。
【請求項６】
本体に設けられ、前記発光素子が発光した光を前記扉側導光板に導く筐体内導光板を備え、
前記発光素子は、前記貨幣識別装置収納部を構成する底板の下に配置されていることを特徴とする請求項１に記載の遊技媒体貸出機。
【発明の詳細な説明】
【技術分野】
【０００１】
本発明は、遊技媒体貸出機に関する。
【背景技術】
【０００２】
特許文献１には、遊技台用台間機１の貨幣挿入口１１の周囲に発光部２０が形成されている点が開示されている。
特許文献２には、遊技台用台間機１の前面パネル４の上端に動作表示用の表示ランプ５が取り付けられている点が開示されている。
【先行技術文献】
【特許文献】
【０００３】
【特許文献１】特開２００４−２０９０４８号公報
【特許文献２】特開２００４−３４４５６６号公報
【発明の概要】
【発明が解決しようとする課題】
【０００４】
遊技媒体貸出機は、パチスロ等の遊技機に隣接して設置され、貨幣等を投入することで、遊技媒体（メダルなど）の貸し出しを受けることができる。
貨幣は貨幣識別装置に挿入する。貨幣識別装置は、遊技媒体貸出機の筺体本体内部に設けられた貨幣識別装置収納部に収納されている。
遊技媒体貸出機の筺体本体前部には、貨幣識別装置収納部を開閉する貨幣収納扉が設けられている。貨幣収納扉の前面には状態表示等を行う発光表示部が配置されている。この発光表示部を光らせる光源として、貨幣収納扉の裏面にＬＥＤ（Light Emitting Diode）等の光源を配置することが知られている。この場合、貨幣収納扉の裏面にはＬＥＤ基板が設けられている。
【０００５】
しかしながら、貨幣収納扉の裏面に配置されているＬＥＤ基板に対して給電を行うには、筺体本体側に配置されている電源と貨幣収納扉側に配置されているＬＥＤ基板とを電気的に接続する必要がある。そのためには、貨幣収納扉の開閉部分にワイヤーハーネスを通す必要がある。貨幣収納扉は毎日開閉されるものである。したがって、その開閉動作に伴ってワイヤーハーネスは頻繁に屈曲動作を行うことになるので、破損し易く、発光表示部において発光不良が発生し易いという問題がある。
本発明は、遊技媒体貸出機等の扉に設けられた発光表示部の発光不良を低減することを課題とする。
【課題を解決するための手段】
【０００６】
本発明は、遊技媒体を貸し出す遊技媒体貸出機であって、遊技媒体貸出機の本体と、本体内部に設けられ貨幣識別装置が収納される貨幣識別装置収納部と、前記本体前部に設けられ前記貨幣識別装置収納部を開閉する扉と、本体に設けられ発光素子と、扉の前面に設けられた発光表示部と、扉に設けられた扉側導光板とを備えることを特徴とする。
【発明の効果】
【０００７】
本発明によれば、遊技媒体貸出機等の扉に設けられた発光表示部の発光不良を低減した遊技媒体貸出機を提供することができる。
【図面の簡単な説明】
【０００８】
【図１】本発明の一実施形態である遊技媒体貸出機の正面図である。
【図２】本発明の一実施形態である遊技媒体貸出機の上部の正面側斜視図である。
【図３】本発明の一実施形態である遊技媒体貸出機における上部の外側の一部の筺体を外した正面側斜視図である。
【図４】貨幣識別装置収納部の貨幣収納扉の、（ａ）閉状態、（ｂ）開状態を示す斜視図である。
【図５】本発明の一実施形態である遊技媒体貸出機のＬＥＤ基板、筐体内導光板、扉側導光板の構成を表す上面図であり、貨幣収納扉を閉じた状態における図である。
【図６】本発明の一実施形態である遊技媒体貸出機のＬＥＤ基板、筐体内導光板、扉側導光板の構成を表す左側面図であり、貨幣収納扉を閉じた状態における図である。
【図７】本発明の一実施形態である遊技媒体貸出機のＬＥＤ基板、筐体内導光板、扉側導光板の構成を表す正面図であり、貨幣収納扉を閉じた状態における図である。
【図８】本発明の一実施形態である遊技媒体貸出機の貨幣収納扉を閉じた状態（ａ）、開いた状態（ｂ）におけるＬＥＤ基板、筐体内導光板、扉側導光板の斜視図である。
【図９】本発明の一実施形態である遊技媒体貸出機の貨幣識別装置収納部を構成する底板とＬＥＤ基板との関係を示す斜視図である。
【発明を実施するための形態】
【０００９】
以下、本発明の実施形態について、図面を参照しながら説明する。説明の際、遊技媒体貸出機の正面に向かう方向を「前」とし、他の方向は、各図に従う。
【００１０】
図１は、本実施形態の遊技媒体貸出機の正面図である。図１に示すように、本実施形態の遊技媒体貸出機１００は、メダルを用いて遊技を行う遊技機（図示せず）に隣接して配置される。遊技媒体貸出機１００は、上から順に、金庫ユニット１１０と、制御ユニット１２０と、メダル補充ユニット１３０と、払出・計数ユニット１４０とを備える。
【００１１】
金庫ユニット１１０は、遊技者が投入した貨幣を収納する。金庫ユニット１１０は、貨幣収納扉４（図２参照）と、貨幣識別装置収納部２（図３参照）とを備える。貨幣識別装置収納部２は、遊技媒体貸出機１００の筺体上部を構成する。貨幣識別装置収納部２は、前方に開口しており、貨幣識別装置３（図３参照）を前方から収容する。貨幣識別装置３は遊技者が投入する貨幣を識別する装置である。
【００１２】
貨幣収納扉４は、貨幣識別装置収納部２の前方に配置されており、貨幣識別装置収納部２の前方を塞ぐことができる。貨幣収納扉４には、貨幣投入口１１１ａと、錠前部１１１ｂと、発光表示部１１、１２、１３とが具備されている。貨幣投入口１１１ａは、遊技者によって投入される貨幣の投入口である。錠前部１１１ｂは、貨幣収納扉４を開けるための専用鍵の挿し込み口である。発光表示部１１、１２、１３は、遊技媒体貸出機１００に関する情報の報知を行う（後述）。
【００１３】
制御ユニット１２０は、遊技媒体貸出機１００の各種制御を行う。制御ユニット１２０の前面には、カメラ１２０ａと、カード挿入口１２０ｂと、貸出ボタン１２０ｃと、液晶パネル２１２ｄとが具備されている。カメラ１２０ａは、遊技者の顔を撮影する。制御ユニット１２０は、撮影した顔の画像を用いて顔認証を行うことができる。また、カメラ１２０ａは、遊技者が所持するスマートフォンが表示するコードを撮影する。制御ユニット１２０は、撮影したコードを読み取って、所定の情報処理を行うことができる。カード挿入口１２０ｂは、遊技者に関する情報と関連付けられた識別情報が記憶されたカードの挿入口である。貸出ボタン１２０ｃは、押下すると、所定量のメダルを払い出すボタンである。液晶パネル１２０ｄは、タッチパネル式のモニタであり、メダルの貸出しに関する情報（例：払い出しメダル枚数、計数メダル枚数、メダル切れ状態等）を表示することができる。液晶パネル１２０ｄは、幅方向中央を通過する軸周りに回転可能に保持されており、画面の角度を所定の角度に設定することができる。
【００１４】
メダル補充ユニット１３０は、遊技媒体貸出機１００内部の払い出しホッパ（図示せず）にメダルを補充するための部位である。払い出しホッパは、所定枚数のメダルを遊技者に払い出すホッパである。メダル補充ユニット１３０の前面には、本体１の前面開口部を開閉する正面扉１３１を備える。メダル補充ユニット１３０は、払い出しホッパに対する連通路を備える。
払出・計数ユニット１４０は、遊技者に対するメダルの払い出し、および、遊技者により投入されたメダルの計数を受け付けるユニットである。払出・計数ユニット１４０の内部には、払い出しホッパ（図示せず）と、計数ホッパ（図示せず）が配置されている。計数ホッパは、遊技者により投入されたメダルを計数するホッパである。
【００１５】
払出・計数ユニット１４０の前面にはメダル受皿部１４０ａと、ノズル１４０ｂとが具備されている。メダル受皿部１４０ａは、遊技者により投入される計数用のメダルを受け付ける。メダル受皿部１４０ａに投入されたメダルは、計数ホッパに案内される。ノズル１４０ｂは、払い出しホッパが払い出した所定枚数のメダルを遊技機の下皿に案内する。
図２は、遊技媒体貸出機の上部の正面側斜視図である。図３は、遊技媒体貸出機における上部の外側の筺体を外した状態を表す正面側斜視図である。
【００１６】
貨幣収納扉４の正面には、発光表示部１１、１２、１３が設けられている。発光表示部１１、１２、１３は、発光することにより、各種情報を利用者等に通知する。例えば、発光表示部１１は貨幣を入れてよいかどうかを表示し、発光表示部１２は遊技媒体の在庫があるかどうかを表示し、発光表示部１３は遊技媒体貸出機１００の状態表示（エラー表示等）を行う。
【００１７】
遊技媒体貸出機１００における本体１の上部の左側部には、発光素子となるＬＥＤが複数個実装されたＬＥＤ基板２１が設けられている（詳細は後述）。本体１の上部の左側部におけるＬＥＤ基板２１の上方には、当該ＬＥＤが発光した光を貨幣収納扉４側に導く筐体内導光板２２が設けられている。貨幣収納扉４には、ＬＥＤが発光した光を発光表示部１１、１２、１３に導く扉側導光板２３が設けられている。ＬＥＤ基板２１、筐体内導光板２２、扉側導光板２３は、外側の筺体に隠れて外部からは見えないが、扉側導光板２３の末端部分に形成されている発光表示部１１、１２、１３は、外部から視認可能である。発光表示部１１、１２、１３の素材には、透光性を有するとともに拡散剤を混入した樹脂を用いることができる。
【００１８】
≪本体の前面開口部を開閉する扉の構成例≫
図４（ａ），（ｂ）に示すように、本体１と貨幣収納扉４との間にはヒンジ部２８を備える。ヒンジ部２８は、貨幣収納扉４を本体１に対して約９０度の範囲で回動自在に連結する。ヒンジ部２８の回動軸は、例えば左右方向に延在する。貨幣収納扉４は、ヒンジ部２８によって、本体１の開口前面を塞ぐ閉状態（図４（ａ））と、本体１の開口前面を開放する開状態（図４（ｂ））の２種類の姿勢と、その間の姿勢をとることができる。
【００１９】
貨幣収納扉４の背面上部には、ロックタング１１１ｆを備える。ロックタング１１１ｆは、本体１の内部に配置されている施錠用可動部材と係合可能であり、貨幣収納扉４を施錠状態又は解錠状態にする（詳細は後記）。
【００２０】
ヒンジ部２８は、貨幣収納扉４の下端部と、貨幣識別装置収納部２の底板６１の前端部に配置されている。ヒンジ部２８は、可動片と、固定片と、シャフトとから構成される蝶番に加えて、例えばダンパ部材と、貨幣収納扉４を開く方向に付勢する開きばねと、カバー部材とを備えることができる。
【００２１】
≪扉の動作例の説明≫
次に、貨幣収納扉４の開動作の実施例について説明する。貨幣収納扉４が閉状態であるときは、ロックタング１１１ｆが本体１の内部に配置されている施錠用可動部材に係合している。
例えば、毎日の営業時間終了後に作業員は、金庫ユニット１１０内に蓄えられた貨幣を回収するために貨幣収納扉４を開ける。
このとき作業員は、専用鍵を錠前部１１１ｂに挿し込み所定方向へ回して解錠する、又は作業員がリモコンの解錠操作のボタンを押す、のいずれかの動作を行う。すると、本体１の内部に配置されている施錠用可動部材が変位して、ロックタング１１１ｆと施錠用可動部材との係合が解除される。そして、本体１に対する貨幣収納扉４の開き動作が開始する。
作業員のリモコン操作（無線又は赤外線通信等による遠隔操作）により解錠を行う場合には、遊技媒体貸出機１００がリモコン信号を受信して、ソレノイド等のアクチュエータを作動させることにより、施錠用可動部材を変位させて解錠を行うことができる。また、専用鍵を用いて解錠を行う構成と、リモコン操作による解錠を行う構成とを併用することもできる。
【００２２】
例えば、ヒンジ部２８に開きばねが内蔵されており、この開きばねが貨幣収納扉４を開く方向に付勢している場合には、貨幣収納扉４はヒンジ部２８の軸周りに開状態の方向へ傾倒し始める。
開状態の方向へ傾倒し始めた貨幣収納扉４は、貨幣収納扉４の自重によって、開状態の方向へさらに変位する。また、貨幣収納扉４の変位速度に応じて、ヒンジ部２８のダンパ部材を作用させ、貨幣収納扉４の開速度を抑制することもできる。この場合、貨幣収納扉４は所定の時間をかけて開速度が制限された状態で開き、開状態（図４（ｂ）参照）に到達する。
その後作業員は、金庫ユニット１１０の貨幣識別装置３（図３参照）から貨幣を回収する作業を行う。貨幣の回収作業が終了した場合には、作業員は貨幣収納扉４を閉じる。このように貨幣収納扉４の開閉動作は、営業日毎に行われる。
【００２３】
≪発光表示部１１、１２、１３の発光についての説明≫
次に、ＬＥＤ基板２１のＬＥＤ３１、３２、３３にて発光された光を、発光表示部１１、１２、１３に伝達する構成について説明する。
図５〜図７は、ＬＥＤ基板２１、筐体内導光板２２、扉側導光板２３の構成を表す図であり、それぞれ貨幣収納扉４を閉じた状態における上面図、左側面図、正面図である。
ＬＥＤ基板２１には、例えば３個の単色又は多色発光可能なＬＥＤ３１、３２、３３が実装されている。符号２４はＬＥＤ基板２１用のコネクタである。
【００２４】
筐体内導光板２２は、例えば３つの筺体内導光板４１、４２、４３からなる。筺体内導光板４１の入光部４１ａはＬＥＤ３１が発光した光を入光し、筺体内導光板４２の入光部４２ａはＬＥＤ３２が発光した光を入光し、筺体内導光板４３の入光部４３ａはＬＥＤ３３が発光した光を入光する。筺体内導光板４１、４２、４３は、ＬＥＤ３１、３２、３３が発光した光を垂直上方に導いた後に、ほぼ直角に曲げて本体１の前方に向かって導き、分離面５４（破線で示す）に出光する。筺体内導光板４１、４２、４３は、それぞれの導光板より細い、該導光板と同材料の連結部４４、４５で連結されていて単一の部品をなしている。すなわち、筐体内導光板２２は、一体成形されている。
【００２５】
扉側導光板２３は、３つの扉側導光板５１、５２、５３からなる。扉側導光板５１の入光部５１ａは筺体内導光板４１の出光部４１ｂと近距離で対峙している。扉側導光板５２の入光部５２ａは筺体内導光板４２の出光部４２ｂと近距離で対峙している。扉側導光板５３の入光部５３ａは筺体内導光板４３の出光部４３ｂと近距離で対峙している。扉側導光板５１、５２、５３の各入光部５１ａ、５２ａ、５３ａは、貨幣収納扉４における開閉の分離面５４に面している。扉側導光板５１、５２、５３は、入光部５１ａ、５２ａ、５３ａから入光した光を貨幣収納扉４の前面に向かって導き、貨幣収納扉４の角部で左側に曲げて、扉側導光板５１、５２、５３の出光部に形成された発光表示部１１、１２、１３から発光させる。発光表示部１１、１２、１３は、前方に少し飛び出すようにして視認性を高める形状に形成されている。
【００２６】
貨幣収納扉４が閉じられている状態においては、ＬＥＤ３１、３２、３３が発光した光は、筐体内導光板２２の出光部から出光し、分離面５４を介して扉側導光板２３の入光部に入光して、発光表示部１１、１２、１３から発光する。ここで、筐体内導光板２２の出光部とは、筺体内導光板４１の出光部４１ｂ、筺体内導光板４２の出光部４２ｂ、筺体内導光板４３の出光部４３ｂである。扉側導光板２３の入光部とは、扉側導光板５１の入光部５１ａ、扉側導光板５２の入光部５２ａ、扉側導光板５３の入光部５３ａである。
【００２７】
図９は、貨幣識別装置収納部２の底板６１を示す斜視図である。図９に示す実施形態では、ＬＥＤ基板２１は、貨幣識別装置収納部２を構成する底板６１の下に配置されている。なお、上記の実施形態ではＬＥＤ３１、３２、３３が発光した光を、筐体内導光板２２を介して扉側導光板５２に伝達する実施形態について説明したが、筐体内導光板２２を介さずに分離面５４の筐体側にＬＥＤ３１、３２、３３等の発光手段を配置して、この発光手段から直接に扉側導光板２３に光を入光させる構成を用いることもできる。また、一つの発光手段が発光した光を、筐体内導光板２２又は扉側導光板２３において複数に分岐させて、複数の発光表示部からそれぞれ発光させる構成を用いることもできる。また、複数の発光手段が発光した光を集合又は混合させて、一つの発光表示部から発光させる構成を用いることもできる。
【００２８】
次に、図８（ａ）及び図８（ｂ）を参照して、貨幣収納扉４を閉じた状態と、貨幣収納扉４を開いた状態とにおける扉側導光板２３の位置関係と、その作用について説明する。
図８（ａ）は、貨幣収納扉４を閉じた状態におけるＬＥＤ基板２１、筐体内導光板２２、及び扉側導光板２３の斜視図である。
ＬＥＤ３１、３２、３３が発光した光は、それぞれ筺体内導光板４１、４２、４３により、分離面５４に導かれる。そして、筺体内導光板４１、４２、４３から出光した光は、筺体内導光板５１、５２、５３にそれぞれ入光され、筺体内導光板５１、５２、５３により発光表示部１１、１２、１３へと導かれて、発光表示部１１、１２、１３から発光する。
一方、図８（ｂ）は、貨幣収納扉４を開いた状態におけるＬＥＤ基板２１、筐体内導光板２２、扉側導光板２３の斜視図である。
この貨幣収納扉４を開いた状態において作業員は、貨幣収納扉４を開いて金庫ユニット１１０の貨幣識別装置３（図３参照）から貨幣を回収する作業を行うことができる。本発明によれば、貨幣収納扉４側と本体１側との間には発光素子に給電するワイヤーハーネスが存在しないので、作業員が貨幣収納扉４の開閉作業を行った場合であっても、貨幣収納扉４の開閉動作を軽く行うことができるとともに、毎日の屈曲動作に伴うワイヤーハーネスの損傷と、この損傷に基づく発光不良を防止することができる。
また、発光表示部を備える遊技媒体貸出機等の扉に、耐屈曲性を有する給電用のワイヤーハーネスを配線する必要がなくなるので、扉の軽量化及びコストダウンを図ることができる。
【００２９】
なお、貨幣収納扉４を開いた状態では、筐体内導光板２２の出光部と、扉側導光板２３の入光部とは大きく離間しているために、ＬＥＤ３１、３２、３３が発光した光は扉側導光板２３に入光されない。しかし、発光表示部１１、１２、１３の発光は、少なくとも貨幣収納扉４を閉じた状態のときに発光できればよいので、ＬＥＤ基板２１を貨幣収納扉４側に設ける必要はない。
また、図９に示す実施形態では、ＬＥＤ基板２１は、貨幣識別装置収納部２を構成する底板６１の下に配置されている。そのため、従来のように、貨幣識別装置３の出し入れの際に、ＬＥＤ基板２１やワイヤーハーネスと貨幣識別装置３とが接触することを防止できる。また、底板６１がＬＥＤ基板２１のカバーとしての役割を果たすことになるので、塵埃等からＬＥＤ基板２１を防護することができる。また、開閉動作を伴わない、安定した本体側に発光素子を配置することができるので、発光部を含めた耐久性を向上することができる。
【００３０】
上記の実施形態では、貨幣識別装置収納部２の前部に設けられた貨幣収納扉４に扉側導光板２３及び発光表示部１１、１２、１３を配置した実施形態について説明したが、本発明は貨幣収納扉４に扉側導光板２３及び発光表示部１１、１２、１３を配置する実施形態に限定するものではない。貨幣収納扉４の他にも、例えばメダル補充ユニット１３０の前面開口部を開閉する正面扉１３１、その他の扉に扉側導光板及び発光表示部を配置する構成に適用することができる。また、着脱可能な扉の前面に発光表示部を備える遊戯媒体貸出機にも適用することができる。
【符号の説明】
【００３１】
１      本体
２      貨幣識別装置収納部
３      貨幣識別装置
４      貨幣収納扉
１１、１２、１３  発光表示部
２１    ＬＥＤ基板（基板）
２２    筐体内導光板
２３    扉側導光板
３１、３２、３３  ＬＥＤ（発光素子）
４１ｂ、４２ｂ、４３ｂ  出光部
５１ａ，５２ａ，５３ａ  入光部
６１    底板
１００  遊技媒体貸出機
【図１】
2018015208.tif 000003
【図２】
2018015208.tif 000004
【図３】
2018015208.tif 000005
【図４】
2018015208.tif 000006
【図５】
2018015208.tif 000007
【図６】
2018015208.tif 000008
【図７】
2018015208.tif 000009
【図８】
2018015208.tif 000010
【図９】
2018015208.tif 000011